(57)【要約】【目的】渋滞に巻き込まれた自動車内、行楽地などで幼児や体の不自由な老人などが容易に使用できる携帯トイレの物品の創意工夫を目的とする。【構成】外材と内材との間に補強材を配置した構造の容器に大別してフタと便座などを備えて構成しした物品で、付属品として容器内に配置のバケットがある。【選択図】図１
2004000668.tif 000002
【特許請求の範囲】
【請求項１】
外材と内材との間に補強材を配置した構造の容器にフタと便座を備えた事を特徴とする携帯オマル。
【発明の詳細な説明】
【０００１】
【発明の属する技術分野】
この発明物品は、外材と内材との間に補強材を配置した容器にフタと便座を備えた携帯オマルに関するものである。
【０００２】
【従来の技術】
１、従来からのオマルについては、オマル容器とフタとの間から中の臭気が洩れだし室内いっぱいに悪臭が立ち籠めたり、持運びのときにフタが外れ落ちる心
配があった。
２、従来の携帯トイレについては、腰を掛けて使用する携帯トイレで適当な物は
探せなかった。
それで、従来の物品は幼児や体の不自由な老人などの自動車内などの使用には用には非常に無理があった。
この為に、渋滞に巻き込まれた自動車内や行楽地などでは、幼児や体の不自由な老人はトイレの事で困難をきたした。
【０００３】
【発明が解決しようとする課題】
したがって従来の欠点を除き、渋滞に巻き込まれた自動車内、行楽地などでの幼児や体の不自由な老人などが使用できる物品を創意工夫しょうとするものである。
【０００４】
【課題を解決するための手段】
その為に、次のような物品を製作する必要がある。
１−便座を備えた物品とし、且つ便座に掛けても変形しない容器であること。
２−乗用車の座席の下などに積載できる大きさで、取扱が簡単であること。
３−自動車などの振動で容易にフタが開かないこと。
４−閉止したフタと接触する開口部縁との間から中の臭気が洩れでないこと。
５−自動車内などが直射日光やヒーター等で室内温度が上がっても、この上昇温
度に容器内温度が余り影響されないこと。
以上の事柄を達成する為の物品としては。
１−プラスチックで容器形状の外材と内材を作り、外材・補強材・内材の順で重ね合わせ固定して一対の容器とする。この容器にフタと便座を取付けるなどの方法がある。
補強材は合成樹脂・木材・紙などを素材にして、この素材を容器の形状や桟にして外材と内材の間に重ね合わせる等して配置する。
２−付属品として、容器内に汚物受けのバケットを配置する。
【０００８】
【作用】
容器内にバケットを配置して使用した場合には、後始末としてバケット内の汚物を水洗トイレ等に流して処理をし、バケットは清掃して容器内に戻す。
因みに、これらのバケットや防水袋の中にトイレット−ペーパー・パルプ−ポリマー等を用意しておくと、振動で中の液体が揺れ動く事がなく、汚物を水洗トイレ等にもあけやしい。
【０００６】
【実施例】
実施例１
図１は実施例１を示す斜視図である。
実施例１のものは、容器形状のプラスチックの外材と内材の間に容器形状の発泡スチロールの補強材を重ね合わせ固定し、プラスチックのフタと便座・フタに配置したパッキン・フタ閉止具の取付け位置や状態は図に示す通りである。
固定の方法は、外材・補強材・内材の順に重ね合わせて、内材の開口周囲を延長させて開口部縁を形成し、この縁端を折曲げて外材の内側面に接着剤で貼り付け固定したものである。
【０００７】
【発明の効果】
この携帯オマルの長所としては。
１−便座を備えているから自動車内などでも幼児や体の不自由な老人は、楽な姿勢で使用できる。
２−この物品は、自動車の座席の下に置ける大きさに製作できるから、自動車などに積載し、携帯オマルとして利用できる。
３−容器は３層構造であるから丈夫である。
５−フタ閉止具を備えているから、自動車の振動などでフタが開く事はない。
６−フタにパンキンを備えているから、閉止時のフタの間から中の臭気が洩れ出る事はない。
７−容器は熱伝導率は極めて低い。それで、自動車内の温度が直射日光等で急上昇しても、容器内温度の上昇は最小限に抑えられる。
それで、、容器内の汚物の腐敗は急速に進む弊害を避けられる。
【図面の簡単な説明】
【図１】実施例１を示す斜視図である。
【符号の説明】
１−容器
２−フタ
３−補強材
４−ネジ摘み
５−蝶番
６−便座
尚、この物品のの直方体の容器やフタは、その用途に支障がない限り楕円体などにしてもよく、開口部の形状も任意の形状にしてもよい。
【図１】
2004000668.tif 000003
【手続補正書】
【提出日】平成15年8月27日(2003.8.27)
【手続補正１】
【補正対象書類名】明細書
【補正対象項目名】全文
【補正方法】変更
【補正の内容】
【発明の詳細な説明】
【特許請求の範囲】
【請求項１】外材と内材との間に補強材を配置した構造の容器にフタと付属品としてバケットを備えた事を特徴とする携帯オマル。
【発明の詳細な説明】
【０００１】
【発明の属する技術分野】
この発明物品は、外材と内材との間に補強材を配置した容器にフタとバケットを備えた携帯オマルに関するものである。
【０００２】
【従来の技術】
１、従来のオマルは、容器とフタとの間から中の臭気が洩れ、室内悪臭が立ち籠めた。更に、持運びでフタが外れ汚物が零れる心配があった。
２、従来の携帯トイレは、腰を掛けて使用できる手軽な物はなかった。
この為に、渋滞に巻き込まれた自動車内や行楽地などで、幼児や体の不自由な老人はトイレの事で困難をきたした。
【０００３】
【発明が解決しょうとする課題】
従って、従来の欠点を廃し渋滞に巻き込まれた自動車内や行楽地などで、幼児や体の不自由な老人等が使用できる物品を創意工夫しようとするものである。
【０００４】
【課題を解決するための手段】
　プラスチック等で容器形状の外材と内材を作り、外材・補強材・内材の順で重ね合わせ接着剤等で固定して一対の容器とする。
そして、重ね合わせて作った。この容器にフタと便座と汚物受けのバケット等を備える方法があり具体的には。
１ー容器については、外材と内材の間に配置する補強材は合成樹脂・木材・紙などを素材にして、この素材を容器の形状や桟にして外材と内材の間に重ね合わせて接着剤で固定配置する方法。
或は、外材と内材を重ね合わせて、双方が向い合う面の一方あるいは両方に補強材を形成一体化して製作し、外材・補強材・内材の順に重ね合わせた状態の容器とする方法。
２ー汚物受けのバケットは、硬化プラスチック・金属・紙等を素材にし、プラススチックや金属で容易に形がくずれないバケットとする方法。
或いは防水紙やビニール等を素材にし、形の変形が容易なバケットを制作する。そして、バケット開口部の縁を外側に折り曲げてバケット孔５外周に縁の厚さと幅の大きさ程度に窪ませる方法などがある。
３ー便座については、プラスチックを主な素材とて用い。二枚のプラスチック板の同位置の適所に適当な大きさで形の孔を開け、この二枚の板を重ね合わせ向かい合う双方の板面の適所の間に補強材を配置し強度を保たる。
このようにした、二枚の板の外周と開けた孔の周囲の板と板の間をプラスチックで塞ぐ方法。などがある。
【０００５】
【作用】
１ー容器に硬化プラスチック製や金属性のバケットを配置するには、バケット配置孔５にバケットを入れる。
そして、便座を降ろしフタ１２を閉止すると、バケットのフタの一部が便座内側９に押さえられて、振動などでバケットは容易にずれたりしない。
２ー防水紙やビニール製の防水袋のバケットの配置は、バケットの縁をバケット配置孔５の縁へこみに配置する。
バケット縁の裏側にシール剤を塗っておくと、配置の時にシール剤がバケット配置孔５の縁へこみ面に接着してバケット縁はずれる事はない。
或は、バケット縁の適所に適当な間隔で大きさの穴を開ける。次に、縁へこみの周囲にこの穴を引っ掛ける鉤を設ける。そして、この鉤にバケット縁の穴を掛けて防水袋のバケットを配置する等の方法でもバケットの縁はずれない。
【０００６】
【実施例】
実施例１
図１は実施例１を示す斜視図である。
実施例１は容器形状のプラスチックの外材と内材の間に容器形状の発スチロールの補強材を重ね合わせ固定した容器にプラスチック製のフタと便座を取付けたものである。
そして、フタ閉止具の取付け位置や状態は図に示す通りである。
【０００７】
実施例２
図２は実施例２を示す斜視図である。
実施例２は実施例１の便座を上げて便座配置台６とバケット配置孔５を示したものである。
【０００８】
実施例３
図３は実施例３を示す斜視図である。
実施例３は実施例１のもののフタ１２を閉止した状態を示したものである。
閉止具の閉止の状態と取っ手１５や蝶違板７等の状態は図に示す通りである。
【０００７】
【発明の効果】
この携帯オマルには次のような効果がある。
１−便座を備えてあり腰を掛ける事ができるので、自動車内等で幼児や体の不自由な老人も使用できる。
２−この物品はコンパクトであり自動車の座席の下に置く事ができる。それで、邪魔になる事もない。
３−容器は外材・補強材・内材の三層構造から成っている。それで、　強度があり軽いので取扱が容易である。
４−フタ１２を閉止具で閉止し、バケット開口部を密閉フタで閉止すると振動等でフタは容易に開かない。
５−バケット開口部に密閉フタをする事で中の臭気が洩れ出す事は大幅に減る。
６−容器を構成する補強材の発砲スチロールは熱伝導率が極めて低い。
それで、自動車内の温度が直射日光等で急上昇しても、この影響による容器内温度の上昇は極めて低く、容器内の汚物の腐敗による悪臭の発生を大幅に抑える事ができる。
【図面の簡単な説明】
【図１】実施例１を示す斜視図である。
【図２】実施例２を示す斜視図である。
【図３】実施例３を示す斜視図である。
【符号の説明】
１−容器左側面　　　　　　　１０−便座外側
２−容器前部　　　　　　　　１１−フタ閉止具Ａ
３−フタ閉止具Ｂ　　　　　　１２−フタ
４−容器内縁　　　　　　　　１３−フタ取付け台
５−バケット配置孔　　　　　１４−フタ内側
６−便座配置台　　　　　　　１５−取っ手
７−蝶違い板
８−便座開口部
９−便座内側
尚、この物品のの直方体の容器やフタは、その用途に支障がない限り楕円体などにしてもよく、開口部の形状も任意の形状にしてもよい。事件の表示発明の名称携帯オマル
【手続補正書】
【提出日】平成15年8月27日(2003.8.27)
【手続補正１】
【補正対象書類名】図面
【補正対象項目名】全図
【補正方法】変更
【補正の内容】
【図１】
2004000668.tif 000004
【図２】
2004000668.tif 000005
【図３】
2004000668.tif 000006